(57)【要約】【課題】  定電圧駆動方式のもとでも所期の電流を自発光素子に精度よく流す。【解決手段】  走査線駆動回路２０は、複数の走査線１１の各々を水平走査期間ごとに順次に選択する。データ線駆動回路３０は、各水平走査期間において複数のデータ線１３の各々にデータ電圧を印加する駆動回路３３０を有する。各駆動回路３３０は、各水平走査期間にてＯＬＥＤ素子１５に実際に流れた電流と当該ＯＬＥＤ素子の画像データＤgに対応した電流Ｉ0との差分に基づいて第１補正値を特定する第１補正値設定回路Ｕ1を有し、画像データＤgに対応した基本電圧を第１補正値に基づいて補正したデータ電圧をデータ線１３に印加する。【選択図】      図１
2005283823.tif 000002
【特許請求の範囲】
【請求項１】
複数の走査線と複数のデータ線との各交差に配置された自発光素子を具備する電気光学装置の駆動回路であって、
前記複数の走査線の各々を水平走査期間ごとに順次に選択する選択手段と、
各水平走査期間において前記複数のデータ線の各々にデータ電圧を印加する電圧供給手段とを具備し、
前記電圧供給手段は、
前記各自発光素子の表示階調を示す画像データに対応した基本電圧を特定する電圧設定手段と、
各水平走査期間にて自発光素子に実際に流れた電流と当該自発光素子の画像データに対応した電流との差分に基づいて第１補正値を特定する第１補正値設定手段と、
一の走査線に対応する自発光素子について前記電圧設定手段が特定した基本電圧を、当該一の走査線よりも前に選択された他の走査線に対応する自発光素子について前記第１補正値設定手段が特定した第１補正値に基づいて補正し、この補正後の電圧を前記データ電圧として前記データ線に印加する補正手段と
を有することを特徴とする電気光学装置の駆動回路。
【請求項２】
前記第１補正値設定手段は、自発光素子に実際に流れた電流と当該自発光素子の画像データに対応した電流との差分を求める減算手段と、この差分を前記自発光素子に実際に流れた電流によって除算して前記第１補正値を定める除算手段とを有する
ことを特徴とする請求項１に記載の電気光学装置の駆動回路。
【請求項３】
前記補正手段は、一の走査線に対応する自発光素子について前記電圧設定手段が特定した基本電圧を、当該一の走査線の直前に選択された他の走査線に対応する自発光素子について特定された第１補正値に基づいて補正する
ことを特徴とする請求項１に記載の電気光学装置の駆動回路。
【請求項４】
前記複数の走査線のうち特定の走査線に対応した自発光素子について第１補正値を記憶する記憶手段を具備し、
前記補正手段は、前記複数の走査線のうち前記特定の走査線以外の各走査線に対応する自発光素子については前記第１補正値設定手段が特定した第１補正値に基づいて基本電圧を補正する一方、前記特定の走査線に対応する自発光素子については前記記憶手段に記憶された第１補正値に基づいて基本電圧を補正する
ことを特徴とする請求項１に記載の駆動回路。
【請求項５】
前記選択手段は、垂直走査期間ごとに前記複数の走査線の各々を所定の順番にて選択し、
前記特定の走査線は、前記選択手段によって各垂直走査期間の最初に選択される走査線である
ことを特徴とする請求項４に記載の電気光学装置の駆動回路。
【請求項６】
前記選択手段は、前記複数の走査線の各々を選択する順番を、相前後する各垂直走査期間にて逆転させる
ことを特徴とする請求項１に記載の電気光学装置の駆動回路。
【請求項７】
前記電圧供給手段は、
前記選択手段によって選択された前記データ線における電圧降下および前記走査線における電圧降下に応じた第２補正値を、前記走査線の抵抗値と前記データ線の抵抗値とに基づいて自発光素子ごとに特定する第２補正値設定手段を有し、
前記補正手段は、前記電圧設定手段により特定された基本電圧を前記第１補正値と前記第２補正値設定手段により設定された第２補正値とに基づいて補正する
ことを特徴とする請求項１に記載の電気光学装置の駆動回路。
【請求項８】
前記自発光素子は有機発光ダイオードであることを特徴とする請求項１ないし７のうちいずれか１項に記載の電気光学装置の駆動回路。
【請求項９】
複数の走査線と、
複数のデータ線と、
前記複数の走査線と前記複数のデータ線との各交差に配置された自発光素子と、
請求項１ないし８のうちいずれか１項に記載した駆動回路と
を具備することを特徴とする電気光学装置。
【請求項１０】
請求項９に記載の電気光学装置を備えたことを特徴とする電子機器。
【請求項１１】
複数の走査線と複数のデータ線との各交差に配置された自発光素子を具備する電気光学装置の駆動方法であって、
前記複数の走査線の各々を水平走査期間ごとに順次に選択する一方、
前記各自発光素子の表示階調を示す画像データに対応した基本電圧を特定し、
各水平走査期間にて自発光素子に実際に流れた電流と当該自発光素子の画像データに対応した電流との差分に基づいて第１補正値を特定し、
一の走査線に対応する自発光素子について特定された基本電圧を、当該一の走査線よりも前に選択された他の走査線に対応する自発光素子について特定された第１補正値に基づいて補正し、この補正後の電圧をデータ電圧として前記データ線に印加する
ことを特徴とする電気光学装置の駆動方法。
【請求項１２】
一の走査線に対応する自発光素子について特定された基本電圧を、当該一の走査線の直前に選択された他の走査線に対応する自発光素子について特定された第１補正値に基づいて補正する
ことを特徴とする請求項１１に記載の電気光学装置の駆動方法。
【請求項１３】
前記複数の走査線のうち特定の走査線以外の各走査線に対応する自発光素子については前記特定された第１補正値により基本電圧を補正する一方、前記特定の走査線に対応する自発光素子については記憶手段に記憶された第１補正値により基本電圧を補正する
ことを特徴とする請求項１１に記載の電気光学装置の駆動方法。
【請求項１４】
前記各走査線を選択するときに、前記複数の走査線の各々を選択する順番を、相前後する各垂直走査期間にて逆転させる
ことを特徴とする請求項１１に記載の電気光学装置の駆動方法。
【請求項１５】
前記選択された走査線における電圧降下および前記データ線における電圧降下に対応した第２補正値を前記走査線の抵抗値と前記データ線の抵抗値とに基づいて自発光素子ごとに特定し、
前記特定された基本電圧を前記第１補正値と前記第２補正値とに基づいて補正する
ことを特徴とする請求項１１に記載の電気光学装置の駆動方法。
【発明の詳細な説明】
【技術分野】
【０００１】
本発明は、有機発光ダイオード素子（以下「ＯＬＥＤ（Organic Light Emitting Diode）素子」という）などの自発光素子を利用して画像を表示する電気光学装置、その駆動回路および駆動方法、ならびに電気光学装置を用いた電子機器に関する。
【背景技術】
【０００２】
自発光素子を利用した電気光学装置の駆動方式として定電流駆動方式が従来から提案されている。この方式は、表示すべき階調に応じた電流を定電流源によって生成し、この電流をデータ線から各自発光素子に供給する方式である。しかしながら、電流駆動方式のもとでは、データ線に付随する寄生容量の充放電に時間を要するため、各自発光素子に供給される電流を表示階調に応じた目標値に到達させるためには比較的長い時間を確保しなければならない。このため、定電流駆動方式を採用した電気光学装置においてはフレームレートを向上させるのが困難であるという問題がある。
【０００３】
この問題を解決するための駆動方式として定電圧駆動方式がある。この方式は、例えば特許文献１に開示されているように、表示すべき階調に応じた電圧を定電圧源によって生成し、この電圧をデータ線に印加する方式である。定電圧駆動方式によれば、データ線の寄生容量に対する充放電は問題とならないから、定電流駆動方式と比較してフレームレートを容易に向上させ得るといった利点がある。
【特許文献１】特開２００１−１３９２３号公報（段落００３０および図１）
【発明の開示】
【発明が解決しようとする課題】
【０００４】
しかしながら、定電圧駆動方式においては、走査線やデータ線における電圧降下によって各自発光素子への印加電圧にばらつきが生じたり、温度の変化に応じて自発光素子の電気的特性（特に抵抗値）にばらつきが生じたりするため、定電流駆動方式と比較して、表示階調に応じた電流を精度よく各自発光素子に流すことが困難であるという問題がある。特にＯＬＥＤ素子などの自発光素子の輝度はこれに流れる電流に比例するから、各自発光素子への印加電圧のばらつきは表示ムラなど表示品位の低下の原因となる。本発明は、このような事情に鑑みてなされたものであり、定電圧駆動方式のもとでも所期の電流を自発光素子に精度よく流すことができる駆動回路および駆動方法、これを用いた電気光学装置、ならびに電子機器を提供することを解決課題とする。
【課題を解決するための手段】
【０００５】
上述した課題を解決するため、本発明に係る電気光学装置の駆動回路は、複数の走査線と複数のデータ線との各交差に配置された自発光素子を具備する電気光学装置に用いられ、複数の走査線の各々を水平走査期間ごとに順次に選択する選択手段と、各水平走査期間において複数のデータ線の各々にデータ電圧を印加する電圧供給手段とを具備し、電圧供給手段は、各自発光素子の表示階調を示す画像データに対応した基本電圧を特定する電圧設定手段と、各水平走査期間にて自発光素子に実際に流れた電流と当該自発光素子の画像データに対応した電流との差分に基づいて第１補正値を特定する第１補正値設定手段と、一の走査線に対応する自発光素子について電圧設定手段が特定した基本電圧を、当該一の走査線よりも前に選択された他の走査線に対応する自発光素子について第１補正値設定手段が特定した第１補正値に基づいて補正し、この補正後の電圧をデータ電圧としてデータ線に印加する補正手段とを有することを特徴とする。なお、本発明における自発光素子の典型例は有機ＥＬ（ElectroLuminescent）や発光ポリマーなどのＯＬＥＤ素子であるが、他の種類の自発光素子も採用され得る。
【０００６】
この構成によれば、各自発光素子に実際に流れた電流と当該自発光素子の画像データに対応した電流との差分に基づいて第１補正値が特定される一方、一の走査線に対応する自発光素子について特定された基本電圧が、この走査線よりも前に選択された他の走査線に対応する自発光素子について特定された第１補正値に基づいて補正される。したがって、各自発光素子の電気的特性が変化したとしても、この特性の変化を補償して所期の電流を精度よく自発光素子に流すことができる。
【０００７】
本発明の望ましい態様において、記第１補正値設定手段は、自発光素子に実際に流れた電流と当該自発光素子の画像データに対応した電流との差分を求める減算手段と、この差分を自発光素子に実際に流れた電流によって除算して第１補正値を定める除算手段とを有する。この態様によれば、自発光素子に実際に流れた電流と画像データに対応した電流との差分が実際に流れた電流により除算されることによって第１補正値が規格化されるから、より適切に基本電圧を補正することができる。
【０００８】
ところで、複数の自発光素子が配列された表示領域内において各自発光素子の温度は連続的に分布すると考えられるから、各自発光素子について生成された基本電圧は、その自発光素子に近接する自発光素子について特定された第１補正値に基づいて補正されることが望ましい。そこで、複数の走査線の各々がその配列の順番にて選択される構成を前提とすると、本発明の望ましい態様においては、補正手段が、一の走査線に対応する自発光素子について特定された基本電圧を、その走査線の直前に選択された他の走査線に対応する自発光素子について特定された第１補正値に基づいて補正する。
【０００９】
もっとも、例えば複数の走査線のうち特定の走査線（例えば複数の走査線の配列方向における端部にある走査線）については、その前に何れの走査線も選択されていない場合や、その直前に選択された走査線が離間しているために、これらの各走査線に属する自発光素子の電気的特性の相関性が低い場合もあり得る。そこで、より望ましい態様においては、複数の走査線のうち特定の走査線に対応した自発光素子について第１補正値を記憶する記憶手段が設けられる一方、補正手段は、複数の走査線のうち特定の走査線以外の各走査線に対応する自発光素子については第１補正値設定手段が特定した第１補正値に基づいて基本電圧を補正する一方、特定の走査線に対応する自発光素子については記憶手段に記憶された第１補正値に基づいて基本電圧を補正する。この態様において、選択手段が垂直走査期間ごとに複数の走査線の各々を所定の順番にて選択するのであれば、選択手段によって各垂直走査期間の最初に選択される走査線が特定の走査線とされることが望ましい。あるいは、選択手段が、複数の走査線の各々を選択する順番を、相前後する各垂直走査期間にて逆転させる構成とすれば、各垂直走査期間の境界においても、例えば温度の分布は順次に選択される各走査線について近似することとなるから、特定の走査線について第１補正値を記憶するための構成は不要となる。
【００１０】
さらに他の態様において、前記電圧供給手段は、前記データ線における電圧降下および前記走査線における電圧降下に応じた第２補正値を、前記走査線の抵抗値と前記データ線の抵抗値とに基づいて自発光素子ごとに特定する第２補正値設定手段を有し、補正手段は、電圧設定手段により特定された基本電圧を第１補正値と第２補正値設定手段により設定された第２補正値とに基づいて補正する。この態様においては、各自発光素子自体の特性の変化に加えて、走査線およびデータ線における電圧降下も補償されるから、より精度よく各自発光素子に所期の電流を流すことが可能となる。
【００１１】
また、本発明に係る電気光学装置は、複数の走査線と、複数のデータ線と、走査線とデータ線との各交差に配置された自発光素子と、上述した各態様の駆動回路とを具備することを特徴とする。この電気光学装置によれば、定電圧駆動方式によりフレームレートを容易に向上させることができるとともに、自発光素子に対して所期の電流を精度よく供給することができる。本発明の電気光学装置は、各種の電子機器の表示装置として採用される。このような電子機器としては、パーソナルコンピュータ、携帯電話機、携帯情報端末、モニタ、デジタルスチルカメラ、ビューファインダ等がある。
【００１２】
なお、本発明は、電気光学装置を駆動するための方法としても特定され得る。この駆動方法は、複数の走査線の各々を水平走査期間ごとに順次に選択する一方、各自発光素子の表示階調を示す画像データに対応した基本電圧を特定し、各水平走査期間にて自発光素子に実際に流れた電流と当該自発光素子の画像データに対応した電流との差分に基づいて第１補正値を特定し、一の走査線に対応する自発光素子について特定された基本電圧を、当該一の走査線よりも前に選択された他の走査線に対応する自発光素子について特定された第１補正値に基づいて補正し、この補正後の電圧をデータ電圧としてデータ線に印加することを特徴とする。この方法によれば、上述した駆動回路と同様の理由により、定電圧駆動方式の採用によりフレームレートの向上に寄与するとともに、自発光素子に対して所期の電流を精度よく供給することが可能となる。
【００１３】
本発明における駆動方法においても、上記駆動回路について列挙した各態様が採用され得る。例えば、一の走査線に対応する自発光素子について特定された基本電圧が、当該一の走査線の直前に選択された他の走査線に対応する自発光素子について特定された第１補正値に基づいて補正される。また、各走査線を選択する順番と各自発光素子の特性の分布とを考慮すれば、複数の走査線のうち特定の走査線以外の各走査線に対応する自発光素子については特定された第１補正値により基本電圧が補正される一方、特定の走査線に対応する自発光素子については記憶手段に記憶された第１補正値により基本電圧が補正される。あるいは、各走査線を選択するときに、複数の走査線の各々を選択する順番を、相前後する各垂直走査期間にて逆転させる。
【００１４】
また、この駆動方法において、前記選択された走査線における電圧降下および前記データ線における電圧降下に対応した第２補正値を前記走査線の抵抗値と前記データ線の抵抗値とに基づいて自発光素子ごとに特定し、前記特定された基本電圧を前記第１補正値と前記第２補正値とに基づいて補正すれば、各自発光素子自体の特性の変化に加えて、走査線およびデータ線における電圧降下も補償することができる。
【発明を実施するための最良の形態】
【００１５】
＜１．第１実施形態＞
図１は、本発明の第１実施形態に係る電気光学装置の概略構成を示すブロック図である。同図に示されるように、電気光学装置１は、表示領域１０、走査線駆動回路２０およびデータ線駆動回路３０を有する。このうち表示領域１０には、Ｘ方向に延在する合計ｍ本の走査線１１と、Ｘ方向に直交するＹ方向に延在する合計ｎ本のデータ線１３とが形成されている（ｍおよびｎはともに自然数）。各走査線１１および各データ線１３は帯状の電極であり、各々が相互に対向する部分にはＯＬＥＤ素子１５が介挿されている。この構成のもと、データ線１３はＯＬＥＤ素子１５の陽極として機能し、走査線１１はＯＬＥＤ素子１５の陰極として機能する。このように、本実施形態に係る電気光学装置１は、各ＯＬＥＤ素子１５が画素として縦ｍ行×横ｎ列のマトリクス状に配列されたパッシブマトリクス方式の表示装置である。
【００１６】
走査線駆動回路２０は、複数の走査線１１の各々を順次に選択するための走査信号Ｓ1、Ｓ2、Ｓ3、…、Ｓmを生成する手段である。図２に示されるように、これらの走査信号Ｓ1、Ｓ2、…、Ｓmは、走査線１１の配列の順番（すなわち第１行目から第ｍ行目に向かう順番）にて水平走査期間（１Ｈ）ごとに順次に接地電位たる電圧Gndとされ、それ以外の期間においては電圧Ｖhに維持される。第ｉ（ｉは１≦ｉ≦ｍを満たす整数）行目の走査線１１に供給される走査信号Ｓiが電圧Gndになると、この走査線１１が選択されたことを示す。例えば図１においては、第２行目の走査線１１が選択された状態が示されている。第１行目から第ｍ行目までの走査線１１の選択は垂直走査期間（１Ｆ）ごとに繰り返される。
【００１７】
図１に示されるデータ線駆動回路３０は、走査線駆動回路２０が選択した走査線１１に対応する１行分のＯＬＥＤ素子１５の各々に対して画像データＤgに応じた電圧（以下「データ電圧」という）のデータ信号Ｄ1、Ｄ2、…、Ｄnを供給する手段である。画像データＤgは、各ＯＬＥＤ素子１５の階調（輝度）を指定するデータであり、図示しない上位装置からデータ線駆動回路３０に供給される。本実施形態におけるデータ線駆動回路３０は、走査線駆動回路２０が選択した走査線１１に対応する１行分（ｎ個）の画素に対して一斉にデータ信号Ｄ1、Ｄ2、…、Ｄnを供給する線順次駆動を実行する。
【００１８】
このデータ線駆動回路３０は、電流設定回路３１と駆動回路群３３とを有する。このうち電流設定回路３１は、各ＯＬＥＤ素子１５に流されるべき電流値（以下「設定電流値」という）Ｉ0を画像データＤgに基づいてＯＬＥＤ素子１５ごとに特定する手段である。さらに、電流設定回路３１は、各々が異なるデータ線１３に対応する合計ｎ個の第２補正値設定回路Ｕ2を有する。各第２補正値設定回路Ｕ2は、走査線１１およびデータ線１３における電圧降下に応じた第２補正値ｈ2を特定する手段であるが、その詳細な構成については後述する。一方、駆動回路群３３は、各々が異なるデータ線１３に対応する合計ｎ個の駆動回路３３０を含んでいる。各駆動回路３３０は、対応するデータ線１３に対してデータ電圧を印加する手段である。
【００１９】
図３は、第ｊ（ｊは１≦ｊ≦ｎを満たす整数）列目の駆動回路３３０の構成を示すブロック図である。同図に示されるＩＶテーブル３３３は、設定電流値Ｉ0に対応した電圧値（以下「基本電圧値」という）Ｖ0を特定する手段である。さらに詳述すると、ＩＶテーブル３３３は、画像データＤgから特定される設定電流値Ｉ0とデータ線１３に印加されるべき基本電圧値Ｖ0とが対応付けられたテーブルであり、電流設定回路３１から供給される設定電流値Ｉ0に対応付けられた基本電圧値Ｖ0を出力する。第２補正値保持回路３３２は、前段に位置する第ｊ列目の第２補正値設定回路Ｕ2によって特定された第２補正値ｈ2を保持（ラッチ）する回路であり、１水平走査期間の周期を有する水平同期信号HSYNCに同期して第２補正値ｈ2を出力する。
【００２０】
電流検出回路３３８は、データ電圧の印加に伴なってＯＬＥＤ素子１５に実際に流れた電流の電流値（以下「検出電流値」という）Ｉdを検出して出力する手段である。図４に示されるように、本実施形態におけるＯＬＥＤ素子１５は、その発光に伴なって発生する熱や電気光学装置１が使用される環境の温度に応じて電気的特性（特に抵抗値）が変化する。すなわち、ＯＬＥＤ素子１５に対して所期の電流を流すために必要となる電圧（すなわちデータ電圧）は、このＯＬＥＤ素子１５の温度が基準値たる室温である場合と、これよりも高い温度である場合とで相違する。図３に示される第１補正値設定回路Ｕ1は、このＯＬＥＤ素子１５の特性の変化を補償するための第１補正値ｈ1を特定する手段である。すなわち、第１補正値設定回路Ｕ1は、電流検出回路３３８から出力される検出電流値Ｉdと電流設定回路３１から出力される設定電流値Ｉ0との差分（すなわち所期の電流値に対する実際の電流値のずれ）に基づいて第１補正値ｈ1を特定する。
【００２１】
補正回路３３５は、第１補正値設定回路Ｕ1によって設定された第１補正値ｈ1と第２補正値保持回路３３２から出力された第２補正値ｈ2とに基づいて、ＩＶテーブル３３３が特定した基本電圧値Ｖ0を補正する手段である。さらに詳述すると、補正回路３３５は、第１補正値ｈ1と第２補正値ｈ2とを基本電圧値Ｖ0に加算することによって補正電圧値Ｖ1を算定する。補正回路３３５の後段にはトランジスタ３３７が配置されている。このトランジスタ３３７は、データ線１３の一端と高位側電源Ｖddとの間に介挿されるとともにゲート電極が補正回路３３５の出力端に接続されたスイッチング素子であり、補正回路３３５が算定した補正電圧値Ｖ1に応じたデータ電圧を第ｊ列目のデータ線１３に印加する手段として機能する。走査線駆動回路２０によって選択された走査線１１に対応する第ｊ列目のＯＬＥＤ素子１５には、このトランジスタ３３７によってデータ線１３に印加されたデータ電圧に応じた電流が流れる。上述した電流検出回路３３８は、このときの電流を検出して検出電流値Ｉdを出力する。このように本実施形態においては、電流検出回路３３８が特定した検出電流値Ｉdを第１補正値ｈ1にフィードバックするループが構成されている。なお、図３に示されるトランジスタ３３７に代えて、補正電圧値Ｖ1に応じたデータ電圧をデータ線１３に印加するボルテージフォロワ型のオペアンプを採用してもよい。
【００２２】
上述したように第１補正値ｈ1はＯＬＥＤ素子１５に実際に流れた電流の検出電流値Ｉdと画像データＤgから一意に特定される設定電流値Ｉ0との差分に基づいて算定されるから、第１補正値ｈ1は温度変化に伴なうＯＬＥＤ素子１５の電気的特性の変化を反映した数値となる。ここで、各ＯＬＥＤ素子１５の温度は表示領域１０内にて連続的に分布すると考えられるから、各ＯＬＥＤ素子１５の温度はこれに近接する他のＯＬＥＤ素子１５の温度と近似している。そこで、本実施形態においては、各水平走査期間にて各列のデータ線１３に印加されるデータ電圧が、その水平走査期間の直前の水平走査期間における検出電流値Ｉdから特定された第１補正値ｈ1に基づいて補正されるようになっている。上述したように各走査線１１は第１行目から第ｍ列目に向かう順番に選択されるから、各ＯＬＥＤ素子１５に印加されるデータ電圧は、そのＯＬＥＤ素子１５の上方に隣接するＯＬＥＤ素子１５に実際に流れた検出電流値Ｉdに基づいて補正される。
【００２３】
図５は、この補正を実現するための第１補正値設定回路Ｕ1の構成を示すブロック図である。同図に示される遅延回路５１１および５１２には水平同期信号HSYNCが供給される。このうち遅延回路５１１は、設定電流値Ｉ0を水平同期信号HSYNCの１周期である１水平走査期間だけ遅延させて出力する。同様に、遅延回路５１２は、検出電流値Ｉdを１水平走査期間だけ遅延させて出力する。減算回路５２は、遅延回路５１１から出力される設定電流値Ｉ0と遅延回路５１２から出力される検出電流値Ｉdとの差分ΔＩ（＝Ｉ0−Ｉd）を水平同期信号HSYNCに同期して順次に算定する手段である。一方、除算回路５３は、減算回路５２によって算定された差分ΔＩを遅延回路５１１から出力される設定電流値Ｉ0にて除算して第１補正値ｈ1（＝ΔＩ／Ｉ0）を算定する手段である。
【００２４】
ここで、第２行目から第ｍ行目までの各ＯＬＥＤ素子１５が駆動されるときのデータ電圧はその１行前のＯＬＥＤ素子１５の検出電流値Ｉdによって適正に補正され得るが、各垂直走査期間の最初に選択される第１行目の各ＯＬＥＤ素子１５が駆動されるときのデータ電圧については同様の方法によって適正に補正されない場合がある。第１行目のＯＬＥＤ素子１５とその直前の水平走査期間にて選択される第ｍ行目のＯＬＥＤ素子１５とは相互に離間しているため、第１行目のＯＬＥＤ素子１５の電気的特性と第ｍ行目のＯＬＥＤ素子１５の電気的特性とが必ずしも近似しないからである。そこで、本実施形態においては、第１行目の第１補正値ｈ1が初期値設定回路５４によって特定されるようになっている。この初期値設定回路５４は、第１行目の走査線１１が選択される水平走査期間における検出電流値Ｉdから減算回路５２および除算回路５３が特定した第１補正値ｈ1を記憶する手段である。初期値設定回路５４には、水平同期信号HSYNCと１垂直走査期間に相当する周期を有する垂直同期信号VSYNCとが入力される一方、除算回路５３によって算定された第１補正値ｈ1（第１行目から第ｍ行目までの走査線が選択される各水平走査期間にて算定された第１補正値ｈ1）が水平走査期間ごとに順次に入力される。初期値設定回路５４は、垂直同期信号VSYNCによって示される１垂直走査期間のうち第２番目の水平走査期間において除算回路５３から入力される第１補正値ｈ1を記憶する。ここで記憶される第１補正値ｈ1は、第１行目のＯＬＥＤ素子１５の検出電流値Ｉdに基づいて算定された補正値である。
【００２５】
一方、選択回路５５は、除算回路５３から出力される第１補正値ｈ1と初期値設定回路５４により設定される第１補正値ｈ1との何れかを選択する手段である。すなわち、選択回路５５は、垂直同期信号VSYNCと水平同期信号HSYNCとから特定される１垂直走査期間の最初の水平走査期間においては初期値設定回路５４からの第１補正値ｈ1を選択して出力する一方、それ以外の水平走査期間（第２行目から第ｍ行目までの走査線１１が選択される各水平走査期間）においては除算回路５３から出力される第１補正値ｈ1を選択して出力する。この構成によれば、第２行目から第ｍ行目までの各行のＯＬＥＤ素子１５を駆動するためのデータ電圧はその１行前のＯＬＥＤ素子１５の検出電流値Ｉdによって補正される一方、第１行目のＯＬＥＤ素子１５に対応したデータ電圧は、その１垂直走査期間前に当該ＯＬＥＤ素子１５自身に実際に流れた検出電流値Ｉdに基づいて補正されることとなる。
【００２６】
選択回路５５の後段には、所定の周波数を下回る帯域成分のみを選択的に通過させるローパスフィルタ（ＬＰＦ）５６１と、ローパスフィルタ５６１の出力信号の位相を調整する位相調整回路５６２と、位相調整回路５６２の出力信号のゲインを調整するゲイン調整回路５６３とが配置されている。これらの各回路は、検出電流値Ｉdを第１補正値ｈ1にフィードバックさせるループ系の動作を安定化させるための手段である。ゲイン調整回路５６３から出力された第１補正値ｈ1は図３に示した補正回路３３５に供給される。なお、ローパスフィルタ５６１、位相調整回路５６２およびゲイン調整回路５６３の一部または全部は適宜に省略され得るまた、ローパスフィルタ５６１に積分器を付加してもよい。
【００２７】
図６は、表示領域１０における行方向（Ｙ方向）の温度分布と各行について算定される第１補正値ｈ1との関係を示すグラフである。同図に示す各グラフにおいては走査線１１の番号（すなわち行方向の位置）が各々の選択の順序に従って横軸に示されている。また、同図のうち上方のグラフにおいては各行の温度が縦軸に示され、下方のグラフにおいては各行について算定された第１補正値ｈ1が縦軸に示されている。
【００２８】
いま、図６の上方のグラフに示されるように、第１行目の温度が最も低く、行方向に沿って下方に進むにつれて温度が上昇するとともに中央部よりもやや下方にて最も高い温度となり、そこから下方に進むにつれて温度が下降する場合を想定する。この場合、第１補正値ｈ1は、理想的には図６の下方のグラフに破線で示された特性Ｔのように温度の分布に完全に追従するように変化することが望ましい。しかしながら、実際の第１補正値ｈ1は、表示が開始された直後の垂直走査期間のうち第１番目の水平走査期間においてゼロであり、ここから時間が経過するに従って理想的な第１補正値ｈ1に近づいていくことになる。一方、次の垂直走査期間の最初の水平走査期間においては、最初の垂直走査期間において算定されて初期値設定回路５４に記憶された第１補正値ｈ1が適用される。この第１補正値ｈ1は、実際の温度のもとで算定された検出電流値Ｉdに基づいて算定されたものであるから、同図に示されるように理想値に近い数値となる。
【００２９】
以上の第１補正値設定回路Ｕ1により、温度に応じたＯＬＥＤ素子１５の電気的特性の変化は補償されるが、本実施形態においては、さらに走査線１１およびデータ線１３における電圧降下を補償するための第２補正値ｈ2が第２補正値設定回路Ｕ2によって算定されるようになっている。この第２補正値設定回路Ｕ2の構成の説明に先立ち、走査線１１およびデータ線１３にて生じる電圧降下について検討する。
【００３０】
図７は、表示領域１０の電気的な構成を示す等価回路図であり、図８は、第ｉ行第ｊ列のＯＬＥＤ素子１５を図７から抽出した等価回路図である。これらの図においては、データ線１３の抵抗を行ごとに区分した各々が抵抗Ｒd（抵抗値ｒd）とされ、走査線１１の抵抗を列ごとに区分した各々が抵抗Ｒs（抵抗値ｒs）とされている。なお、図７および図８に示された各走査線１１の最も左方に位置する抵抗Ｒsは、走査線１１のうち走査線駆動回路２０から表示領域１０まで引き廻された部分（以下「引き廻し部分」という）の抵抗であるが、ここでは便宜的に表示領域１０内の各抵抗Ｒsの抵抗値ｒsに等しいものとして取り扱う。また、これらの図に示された容量Ｃは、データ線１３と走査線１１との結合容量である。
【００３１】
本実施形態においては、データ線１３に設定電流値Ｉ0が流れたと仮定したときにデータ線１３および走査線１１にて生じる電圧降下を予測し、これらの電圧降下が補償されるように基本電圧値Ｖ0に第２補正値ｈ2が加算される。したがって、第２補正値ｈ2が示す電圧値は、以下の式（１）に示されるように、データ線１３における電圧降下と走査線１１における電圧降下とを加算したものとなる。
（第２補正値ｈ2が示す電圧値）＝（データ線１３における電圧降下）＋（走査線１１における電圧降下）    ……（１）
【００３２】
ここで、上式（１）のうちデータ線１３における電圧降下について検討する。図７および図８に示されるように、第ｊ列目のデータ線１３に設定電流値Ｉ0[j]の電流が流れるとすれば、この電流が第ｉ行目のＯＬＥＤ素子１５に到達するまでに通過する抵抗Ｒdの個数は、走査線１１の番号に相当する「ｉ」個である。したがって、上式（１）のうちデータ線１３における電圧降下は、以下の式（２）によって表される。
（データ線１３における電圧降下）＝ｉ×ｒd×Ｉ0[j]    ……（２）
【００３３】
次に、第ｉ行目の走査線１１における電圧降下について検討する。図８に示されるように、各データ線１３に流れる電流（電流値Ｉ0[1]、Ｉ0[2]、…、Ｉ0[n]）は、ＯＬＥＤ素子１５および走査線１１を経由して走査線駆動回路２０における低位側電源Gndに流れ込む。このため、走査線１１のうち引き廻し部分における抵抗Ｒs（図８の走査線１１のうち左から第１番目に位置する抵抗Ｒs）には、第１列目から第ｎ列目までの総てのデータ線１３の電流が到達することになる。したがって、この抵抗Ｒsにおいては、第１列目から第ｎ列目までの総てのデータ線１３の電流値の総和（Ｉ0[1]＋Ｉ0[2]＋…＋Ｉ0[n]）と抵抗値ｒsとの乗算値に相当する電圧降下が生じる。次に、走査線１１における左から第２番目の抵抗Ｒsには、第１列目を除く第２列目から第ｎ列目までの各データ線１３の電流が流れ込む。したがって、第２番目の抵抗Ｒsにおいては、第２列目から第ｎ列目までのデータ線１３の電流値の総和（Ｉ0[2]＋Ｉ0[3]＋…＋Ｉ0[n]）と抵抗値ｒsとの乗算値に相当する電圧降下が生じる。以後の抵抗Ｒsについても同様に考えると、上式（１）のうち走査線１１における電圧降下は以下の式（３）によって表される。
（走査線１１における電圧降下）＝（Ｉ0[1]＋Ｉ0[2]＋…＋Ｉ0[n]）×ｒs＋（Ｉ0[2]＋Ｉ0[3]＋…＋Ｉ0[n]）×ｒs＋…＋（Ｉ0[j]＋…＋Ｉ0[n]）×ｒs    ……（３）
【００３４】
以上の式（１）ないし（３）に基づく演算によって第２補正値ｈ2を算定するために、本実施形態における各第２補正値設定回路Ｕ2は図９の構成を有する。同図に示される部分Ａは、上式（３）に基づいて走査線１１における電圧降下を算定するための部分であり、部分Ｂは、上式（２）に基づいてデータ線１３における電圧降下を算定するための部分である。上式（１）に示したように、部分Ａにより算定された電圧降下と部分Ｂにより算定された電圧降下とを加算回路５８１が加算することによって第２補正値ｈ2が算定される。
【００３５】
部分Ｂのカウンタ６１１は、第２補正値ｈ2の算定の対象となる走査線１１の番号ｉを特定するための手段である。さらに詳述すると、カウンタ６１１は、水平同期信号HSYNCに同期して計数値（すなわち走査線１１の番号）ｉをインクリメントする一方、この計数値ｉを垂直同期信号VSYNCに同期して各垂直走査期間の始点にてリセットする。メモリ６１２は、データ線１３に付随する抵抗Ｒdの抵抗値ｒdを予め記憶する手段である。乗算回路６１３は、カウンタ６１１による計数値ｉと、メモリ６１２に記憶された抵抗値ｒdと、画像データＤgから特定された第ｊ列目の設定電流値Ｉ0[j]とを乗算し、この乗算により得られた数値を加算回路５８１に出力する。上式（２）に示したように、部分Ｂから出力される数値はデータ線１３における電圧降下に相当する。
【００３６】
一方、部分Ａの設定回路６３１は、各行に属するｎ個のＯＬＥＤ素子１５の設定電流値Ｉ0の総和（Ｉ0[1]＋Ｉ0[2]＋…＋Ｉ0[n]）を算定する手段である。この総和（以下「電流積算値」という）は、画像データＤgから算定される各ＯＬＥＤ素子１５の設定電流値Ｉ0を加算することによって各行ごとに得られる。この設定回路６３１によって算定された合計ｍ行分の電流積算値のうち第２補正値ｈ2の算定の対象となる行の電流積算値は水平走査期間の始点においてメモリ６３２に格納される。
【００３７】
減算回路６３３には、第２補正値ｈ2の算定の対象となる行の第１列目から第ｎ列目までの計ｎ個の設定電流値Ｉ0がドットクロックDCKに同期して１水平走査期間内に順番に供給される。このドットクロックDCKは、１水平走査期間をｎ等分した時間長に相当する周期のクロック信号である。減算回路６３３は、こうして順次に供給される設定電流値Ｉ0をメモリ６３２に格納されている数値から減算し、この減算により得られた数値をメモリ６３２に上書きする。したがって、メモリ６３２に格納される数値は、水平走査期間の最初に電流積算値とされた後、この電流積算値からドットクロックDCKの１周期ごとに設定電流値Ｉ0だけ順次に減少していく。
【００３８】
メモリ６３４は、走査線１１に付随する抵抗Ｒsの抵抗値ｒsを予め記憶する手段である。乗算回路６３５は、メモリ６３２からドットクロックDCKに同期して順次に出力される数値とメモリ６３４に記憶された抵抗値ｒsとを乗算して出力する。この乗算回路６３５から順次に出力される数値は、上述した式（３）に含まれる各項に相当する。累算回路６３６は、乗算回路６３５から順次に出力される数値のうち１水平走査期間の最初に出力される数値「（Ｉ0[1]＋Ｉ0[2]＋…＋Ｉ0[n]）×ｒs」から第ｊ番目の数値「（Ｉ0[j]＋…＋Ｉ0[n]）×ｒs」まで累積的に加算し、この累算値を出力する手段である。上式（３）に示したように、累算回路６３６から出力される累算値は走査線１１における電圧降下に相当する。以上のようにして部分Ａにより算定された電圧降下と部分Ａにより算定された電圧降下とが加算回路５８１にて加算されることによって第２補正値ｈ2が算定されるのである。各水平走査期間にて加算回路５８１から図３の第２補正値保持回路３３２に出力された第２補正値ｈ2は、この次の水平走査期間にて補正回路３３５に出力される。
【００３９】
以上に説明したように、本実施形態においては、各ＯＬＥＤ素子１５の検出電流値Ｉdと当該ＯＬＥＤ素子１５の設定電流値Ｉ0との差分に対応した第１補正値ｈ1に基づいてデータ電圧が補正されるから、画像データＤgによって指定される電流が精度よく各ＯＬＥＤ素子１５に供給される。したがって、温度変化に伴なう各ＯＬＥＤ素子１５の電気的特性の変化が補償されて良好な表示品位が実現される。しかも、本実施形態においては、第２行目から第ｍ行目までの各ＯＬＥＤ素子１５を駆動するときのデータ電圧が、その上方に隣接するＯＬＥＤ素子１５に実際に流れた検出電流値Ｉdに基づいて補正されるから、各ＯＬＥＤ素子１５に供給される電流を各水平走査期間にてリアルタイムに補正することができる。また、温度変化を補償するとは言っても各ＯＬＥＤ素子１５の温度を検出する温度センサは不要であるから、温度センサによる検出結果に応じてデータ電圧を補正する構成と比較して構成の簡素化および製造コストの低減が図られる。
【００４０】
加えて、走査線１１およびデータ線１３における電圧降下が第２補正値ｈ2により補償されるから、第１補正値ｈ1のみによってデータ電圧を補正する構成と比較して、より高い精度で各ＯＬＥＤ素子への電流を補正することができる。もっとも、走査線１１やデータ線１３が抵抗率の低い導電体によって形成された場合など、ＯＬＥＤ素子１５への印加電圧に対する電圧降下の影響が無視できるほど小さい場合には、第２補正値ｈ2による補正を省略することも可能である。
【００４１】
＜２．第２実施形態＞
次に、本発明の第２実施形態に係る電気光学装置１について説明する。上記第１実施形態においては、図４に示したように、ＯＬＥＤ素子１５に所期の電流を流すための電圧値が温度変化に伴なって変化する（すなわち特性曲線が温度変化に伴なって電圧方向に移動する）場合を例示した。これに対し、本実施形態においては、図１０に示されるように、ＯＬＥＤ素子１５に特定の電圧を印加したときに当該ＯＬＥＤ素子１５に流れる電流値が温度変化に伴なって変化する（すなわち特性曲線が温度変化に伴なって電流方向に移動する）場合を想定する。なお、本実施形態における電気光学装置のうち上記第１実施形態の電気光学装置１と同様の要素については共通の符号を付してその説明を適宜に省略する。
【００４２】
図１１は、本実施形態における各駆動回路３３０の構成を示すブロック図である。同図に示されるように、本実施形態の駆動回路３３０は、ＩＶテーブル３３３と補正回路３３５との間に乗算回路３３９が介挿されるとともに、第１補正値設定回路Ｕ1によって算定された第１補正値ｈ1が乗算回路３３９に入力される構成となっている。この乗算回路３３９は、第１補正値ｈ1と基本電圧値Ｖ0とを乗算する手段である。換言すると、基本電圧値Ｖ0は、第１補正値ｈ1が示す利得にて増幅されたうえで補正回路３３５に入力される。
【００４３】
図１１に示される駆動回路３３０のうち第１補正値設定回路Ｕ1は、図５の構成に代えて図１２に示す構成となる。図１２に示される第１補正値設定回路Ｕ1のうち遅延回路５１１および５１２からゲイン調整回路５６３までの要素は図５に示した構成と共通するが、本実施形態における第１補正値設定回路Ｕ1においてはゲイン調整回路５６３の後段に加算回路５８１が配置されている。この加算回路５８１は、ゲイン調整回路５６３から出力された第１補正値ｈ1に対してメモリ５８２に記憶された数値「１」を加算する手段である。この加算を行なうのは、乗算回路３３９における利得を、「１」を基準として変化させるためである。例えば、設定電流値Ｉ0と検出電流値Ｉdとが一致する場合（すなわち第１補正値ｈ1による補正が不要である場合）にはゲイン調整回路５６３から出力される第１補正値ｈ1はゼロとなるが、これをそのまま乗算回路３３９に供給すれば基本電圧値Ｖ0がゼロに変換されて補正回路３３５に入力されることになる。これに対し、図１２に示されるように加算回路５８１によって数値「１」が加算された第１補正値ｈ1を乗算回路３３９に入力すれば、同様の場合に基本電圧値Ｖ0がそのままの数値を維持して乗算回路３３９から補正回路３３５に入力されるから、ＯＬＥＤ素子１５の特性を適正に反映させたデータ電圧がデータ線１３に印加されることになる。
【００４４】
以上に説明したように、本実施形態においても、検出電流値Ｉdと設定電流値Ｉ0との差分に対応した第１補正値ｈ1に基づいてデータ電圧が補正されるから、上記第１実施形態と同様の効果が得られる。さらに、本実施形態においては、基本電圧値Ｖ0に対して第１補正値ｈ1が乗算されるから、図１０に示したようなＯＬＥＤ素子１５の特性の変化を精度よく補償することができる。
【００４５】
＜３．変形例＞
上記各実施形態に対しては種々の変形が施される。具体的な変形の態様は以下の通りである。なお、以下の各態様を適宜に組み合わせてもよい。
【００４６】
（１）上記各実施形態においては、垂直走査期間ごとに第１行目から第ｍ行目に向かって各走査線１１が選択される構成を例示したが、相前後する垂直走査期間において走査線１１を選択する順序が逆転する構成も採用され得る。すなわち、図１３に示されるように、ある垂直走査期間Ｆaにおいては上記第１実施形態と同様に第１行目から第ｍ行目に向かう順番（Ｓ1→Ｓ2→…→Ｓm）にて各走査信号Ｓiが電圧Gndとされる一方、その直後の垂直走査期間Ｆbにおいては垂直走査期間Ｆaとは逆に、第ｍ行目から第１行目に向かう順番（Ｓm→Ｓm-1→…→Ｓ1）にて各走査信号Ｓiが電圧Gndとされる。上記各実施形態においては、走査線駆動回路２０による選択の対象が各垂直走査期間の境界において第ｍ行目の走査線１１から第１行目の走査線１１に切り替わるときに温度分布が不連続となることを考慮して、第１行目の走査線１１が選択されるときの第１補正値ｈ1を初期値設定回路５４により特定する構成を採用した。これに対し、本変形例においては、図１４に示されるように、各垂直走査期間の境界においても温度分布が連続することになるから、上記各実施形態に示した初期値設定回路５４および選択回路５５は不要である。すなわち、本変形例においては、何れの走査線１１が選択されているかに拘わらず、除算回路５３から出力された第１補正値ｈ1が補正回路３３５（第２実施形態においては乗算回路３３９）に出力される。
【００４７】
（２）上記各実施形態においては、各ＯＬＥＤ素子１５が駆動されるときのデータ電圧をその１行分だけ上方にあるＯＬＥＤ素子１５が駆動されたときの検出電流値Ｉdから算定される第１補正値ｈ1に基づいて補正する構成を例示したが、第１補正値ｈ1を算定するための基礎となる検出電流値Ｉdはこれに限られない。例えば、各ＯＬＥＤ素子１５に対応する第１補正値ｈ1が、その２行分だけ上方にあるＯＬＥＤ素子１５が駆動されたときの検出電流値Ｉdから算定される構成としてもよい。要するに、ある水平走査期間にて駆動される各ＯＬＥＤ素子１５に対応した第１補正値ｈ1が、その水平走査期間からみて過去の水平走査期間にて他のＯＬＥＤ素子１５が駆動されたときの検出電流値Ｉdから算定される構成であれば足りる。ただし、第１補正値ｈ1の算定の対象となるＯＬＥＤ素子１５と検出電流値Ｉdの対象となるＯＬＥＤ素子１５との距離が離れるほど各ＯＬＥＤ素子１５の温度の相関性（換言すれば各ＯＬＥＤ素子１５の電気的特性の近似性）が低減していくから、より望ましくは上記各実施形態に示したように、各ＯＬＥＤ素子１５に対応する第１補正値ｈ1がその直近に隣接するＯＬＥＤ素子１５の検出電流値Ｉdに基づいて算定される。
【００４８】
（３）上記各実施形態においては、走査線１１のうち走査線駆動回路２０から表示領域１０に至るまでの引き廻し部分の抵抗値を便宜的に表示領域１０内の抵抗値ｒsと等しいものと仮定したが、この部分の実際の抵抗値（あるいは実際の抵抗値の近似値）ｒs0を第２補正値ｈ2に反映させる構成としてもよい。すなわち、図９におけるメモリ６３４に抵抗値ｒsと抵抗値ｒs0とを記憶しておき、各水平走査期間の始点においては抵抗値ｒs0が乗算回路６３５に読み出される一方、この始点からドットクロックDCKの１周期が経過した後には抵抗値ｒsが乗算回路６３５に読み出される構成としてもよい。この構成においては、部分Ａから出力される数値（すなわち走査線１１における電圧降下）が以下の式（３a）によって表されることになる。
（走査線１１における電圧降下）＝（Ｉ0[1]＋Ｉ0[2]＋…＋Ｉ0[n]）×ｒs0＋（Ｉ0[2]＋Ｉ0[3]＋…＋Ｉ0[n]）×ｒs＋…＋（Ｉ0[j-1]＋…＋Ｉ0[n]）×ｒs    ……（３a）
この構成によれば、走査線１１の引き廻し部分における電圧降下を忠実に反映させた第２補正値ｈ2を算定することができる。
【００４９】
また、上記各実施形態においてはデータ線１３のうちデータ線駆動回路３０から表示領域１０に至るまでの引き廻し部分の抵抗を省略したが、上記各実施形態や本変形例において走査線１１の引き廻し部分について説明したのと同様の構成によって当該部分の抵抗値をデータ電圧の補正に反映させてもよい。すなわち、抵抗値ｒd（または引き廻し部分の抵抗値ｒd0）と設定電流値Ｉ0との乗算値を乗算回路６１３による出力値に加算する加算回路を図９の乗算回路６１３の後段に配置してもよい。この場合に部分Ｂから出力される数値（すなわちデータ線１３における電圧降下）は以下の式（２a）または（２b）によって表される。
（データ線１３における電圧降下）＝ｒd×Ｉ0[j]＋ｉ×ｒd×Ｉ0[j]    ……（２a）
（データ線１３における電圧降下）＝ｒd0×Ｉ0[j]＋ｉ×ｒd×Ｉ0[j]    ……（２b）
【００５０】
（４）上記各実施形態においては、図６に示したように、表示が開始されてから最初の水平走査期間における第１補正値ｈ1がゼロとされる構成を例示したが、第１補正値ｈ1の初期値を予め初期値設定回路５４に保持しておき、表示が開始されてから最初の水平走査期間においては当該初期値が加算回路５８１に出力される構成としてもよい。
【００５１】
（５）ＯＬＥＤ素子以外の自発光素子を用いた電気光学装置にも本発明は適用され得る。例えば、熱陰極素子や冷陰極素子などの電子放出源と当該電子放出源から放出された電子が衝突する蛍光体とからなる自発光素子を用いて画像を表示する電界放出ディスプレイ（ＦＥＤ：Field Emission Display）などの電気光学装置にも上記各実施形態と同様に本発明が適用され得る。
【００５２】
＜４．応用例＞
次に、本発明に係る電気光学装置を適用した電子機器について説明する。図１５に、上記各実施形態に係る電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１およびキーボード２００２が設けられている。この電気光学装置１はＯＬＥＤ素子１５を用いるので、視野角が広く見易い画面を表示できる。
【００５３】
図１６に、上記各実施形態に係る電気光学装置１を適用した携帯電話機の構成を示す。携帯電話機３０００は、複数の操作ボタン３００１およびスクロールボタン３００２、ならびに表示ユニットとしての電気光学装置１を備える。スクロールボタン３００２を操作することによって、電気光学装置１に表示される画面がスクロールされる。
【００５４】
図１７に、上記各実施形態に係る電気光学装置１を適用した情報携帯端末（ＰＤＡ：Personal Digital Assistants）の構成を示す。情報携帯端末４０００は、複数の操作ボタン４００１および電源スイッチ４００２、ならびに表示ユニットとしての電気光学装置１を備える。電源スイッチ４００２を操作すると、住所録やスケジュール帳といった各種の情報が電気光学装置１に表示される。
【００５５】
なお、本発明に係る電気光学装置が適用される電子機器としては、図１５から図１７に示したもののほか、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００５６】
【図１】本発明の第１実施形態に係る電気光学装置の構成を示すブロック図である。
【図２】走査線駆動回路の動作を示すタイミングチャートである。
【図３】データ線駆動回路の駆動回路の構成を示すブロック図である。
【図４】ＯＬＥＤ素子の電気的特性が温度に応じて変化する様子を示すグラフである。
【図５】第１補正値設定回路の構成を示すブロック図である。
【図６】各行の温度の分布と第１補正値との関係を示すグラフである。
【図７】表示領域とその近傍の電気的構成を示す等価回路図である。
【図８】第ｉ行第ｊ列のＯＬＥＤ素子に関する電気的構成を示す等価回路図である。
【図９】第２補正値設定回路の構成を示すブロック図である。
【図１０】第２実施形態におけるＯＬＥＤ素子の電気的特性を示すグラフである。
【図１１】同実施形態における駆動回路の構成を示すブロック図である。
【図１２】同実施形態における第１補正値設定回路の構成を示すブロック図である。
【図１３】変形例における走査線駆動回路の動作を示すタイミングチャートである。
【図１４】変形例における各行の温度の分布と第１補正値との関係を示すグラフである。
【図１５】本発明を適用したパーソナルコンピュータの構成を示す斜視図である。
【図１６】本発明を適用した携帯電話機の構成を示す斜視図である。
【図１７】本発明を適用した携帯情報端末の構成を示す斜視図である。
【符号の説明】
【００５７】
１……電気光学装置、１１……走査線、１３……データ線、１５……ＯＬＥＤ素子（自発光素子）、２０……走査線駆動回路（選択手段）、３０……データ線駆動回路（電圧供給手段）、Ｕ1……第１補正値設定回路（第１補正値設定手段）、Ｕ2……第２補正値設定回路（第２補正値設定手段）、３３０……駆動回路、３３２……第２補正値保持回路、３３３……ＩＶテーブル（電圧設定手段）、３３５……補正回路（補正手段）、３３８……電流検出回路、５１１，５１２……遅延回路、５２……減算回路（減算手段）、５３……除算回路（除算手段）、５４……初期値設定回路（記憶手段）、５５……選択回路。
【図１】
2005283823.tif 000003
【図２】
2005283823.tif 000004
【図３】
2005283823.tif 000005
【図４】
2005283823.tif 000006
【図５】
2005283823.tif 000007
【図６】
2005283823.tif 000008
【図７】
2005283823.tif 000009
【図８】
2005283823.tif 000010
【図９】
2005283823.tif 000011
【図１０】
2005283823.tif 000012
【図１１】
2005283823.tif 000013
【図１２】
2005283823.tif 000014
【図１３】
2005283823.tif 000015
【図１４】
2005283823.tif 000016
【図１５】
2005283823.tif 000017
【図１６】
2005283823.tif 000018
【図１７】
2005283823.tif 000019